(57)【特許請求の範囲】
【請求項１】
送信先情報及び制御情報を含む信号を受信する段階と、
前記受信した信号が物理的に直接接続された監視／制御装置から供給された制御信号である場合、前記制御信号を受信したポート情報及び自装置情報を前記受信した制御信号に付加する段階と、
前記制御信号の送信先情報が自装置宛であれば前記制御情報に従って処理を行ない、他装置宛であれば前記ポート情報及び自装置情報を付加した前記制御信号を他装置に送信する段階と
を含むセッション管理方法。
【請求項２】
前記受信した信号が応答信号である場合、前記応答信号の送信先情報が自装置宛であるか判定する段階と、
前記送信先情報が自装置宛であれば前記応答信号の送信先情報及びポート情報を削除し、前記削除したポート情報に従って前記送信先情報及びポート情報を削除した応答信号を送信する段階と
を含む請求項１記載のセッション管理方法。
【請求項３】
前記制御信号は、前記監視／制御装置と前記制御信号の送信先情報が示す他の装置とを論理的に接続するセッション確立のための情報であることを特徴とする請求項１又は２記載のセッション管理方法。
【請求項４】
前記セッション確立後、前回の制御信号を受信してからの経過時間を計時する段階と、
前記経過時間が設定時間を越えると前記セッションを解放する段階と
を含む請求項３記載のセッション管理方法。
【請求項５】
前記制御信号の種類毎に設定されたランク及び前記監視／制御装置毎に設定されたランクを比較する段階と、
前記制御信号のランクと監視／制御装置のランクとを比較した結果に従って前記制御信号の処理に制限を設けることを特徴とする請求項１記載のセッション管理方法。
【請求項６】
送信先情報及び制御情報を含む信号を受信する信号受信手段と、
前記受信した信号が物理的に直接接続された監視／制御装置から供給された制御信号である場合、前記制御信号を受信したポート情報及び自装置情報を前記受信した制御信号に付加する情報付加手段と、
前記制御信号の送信先情報が自装置宛であれば前記制御情報に従って処理を行ない、他装置宛であれば前記ポート情報及び自装置情報を付加した前記制御信号を他装置に送信する制御信号送信手段と
を含む伝送装置。
【請求項７】
前記受信した信号が応答信号である場合、前記応答信号の送信先情報が自装置宛であるか判定する判定手段と、
前記送信先情報が自装置宛であれば前記応答信号の送信先情報及びポート情報を削除し、前記削除したポート情報に従って前記応答信号を送信する応答信号送信手段と
を含む請求項６記載の伝送装置。
【請求項８】
前記制御信号は、前記監視／制御装置と前記制御信号の送信先情報が示す他の装置とを論理的に接続するセッション確立のための制御信号であることを特徴とする請求項６又は７記載の伝送装置。
【請求項９】
前記セッション確立後、前回の制御信号を受信してからの経過時間を計時する計時手段と、
前記経過時間が設定時間を越えると前記セッションを解放する解放手段と
を含む請求項８記載の伝送装置。
【請求項１０】
前記制御信号の種類に従ってランクを設定している第１のランク設定テーブルと、
前記監視／制御装置毎にランクを設定する第２のランク設定テーブルとを有し、
前記制御信号のランクと監視／制御装置のランクとを比較した結果に従って前記制御信号の処理に制限を設けることを特徴とする請求項６記載の伝送装置。
【請求項１１】
前記設定時間，第１のランク設定テーブル，及び第２のランク設定テーブルは、制御信号を利用して変更できることを特徴とする請求項９又は１０記載の伝送装置。
【請求項１２】
前記セッション確立後、論理的に接続された前記監視／制御装置から自装置情報の変更命令が供給されると、ネットワーク内の他装置に前記自装置情報の変更を通知する通知手段と、
前記自装置情報を変更命令に従って再設定する再設定手段と、
前記再設定後、自装置情報の変更命令を供給した前記監視／制御装置に自装置情報の再設定終了を通知する応答手段と
を有することを特徴とする請求項８記載の伝送装置
【請求項１３】
送信先の伝送装置の送信先情報及び制御情報を含む信号を生成する信号作成手段と、
前記作成した信号を送信先の伝送装置に送信する送信手段と、
前記送信した信号に基づく応答信号を受信してセッション確立先の伝送装置情報を格納する格納手段とを有し、
物理的に直接接続されている伝送装置及びポートの情報に基づいて識別されることを特徴とする監視／制御装置。
【発明の詳細な説明】
【０００１】
【発明の属する技術分野】
本発明は、セッション管理方法及びその方法を利用した伝送装置，監視／制御装置に係り、特に、ネットワーク内の伝送装置及び監視／制御装置を論理的に接続するセッション管理方法及びその方法を利用した伝送装置，監視／制御装置に関する。
【０００２】
【従来の技術】
近年、ネットワークの拡大に伴い、ネットワークを構成する伝送装置等の監視／制御は、そのネットワークと接続される監視／制御装置により行われることがある。このネットワークを構成する伝送装置と監視／制御装置とは、論理的な通信路であるセッションを確立することにより、監視／制御のためのデータ転送が行われる。
【０００３】
図１は、ネットワークの一例の構成図を示す。図１のネットワークは、伝送装置１〜６と、監視／制御装置（ＯＰＳ）７，８とを含む構成である。例えば伝送装置２の監視／制御を行う場合、監視／制御装置７と伝送装置２とのセッションを確立することにより、監視／制御のためのデータ転送を行なうことが可能である。
【０００４】
このようなセッションの確立は、各監視／制御装置７，８に識別子を設定し、以下のような方法で行われる。監視／制御装置７，８は、図２に示すように、送信する制御フレームに監視／制御装置７，８に設定された識別子を付けて伝送装置１〜６に送信する。図２は、制御フレームの一例のフォーマットを示す。また、伝送装置１〜６は、接続される監視／制御装置７，８の識別子を管理し、図３に示すように送信する応答フレームの送信先を送信元の監視／制御装置７，８の識別子として送信する。図３は、応答フレームの一例のフォーマットを示す。
【０００５】
以上のように、監視／制御装置７，８の識別子を付けた制御フレーム及び応答フレームを送受信することによりセッションの確立を行なっていた。
【０００６】
【発明が解決しようとする課題】
しかしながら、監視／制御装置に識別子を設定する方法は、ネットワークの構成変更を行なう場合、例えば監視／制御装置を増設する場合等に識別子も増加させる必要がある。この場合、伝送装置において管理している識別子も増加させる必要が生じるため、作業が煩雑であり容易にネットワークの構成変更が行なえないという問題があった。
【０００７】
また、複数の監視／制御装置により伝送装置の監視／制御を行なうため、監視／制御装置毎に監視／制御可能範囲に制限を設ける必要があった。更に、監視／制御装置の操作性を向上すると共に、必要な操作手順を減少させ、オペレータの操作負担を軽減させる必要があった。
本発明は、上記の点に鑑みなされたもので、ネットワークの構成変更が容易であり、監視／制御の操作性が良いセッション管理方法及びその方法を利用した伝送装置，監視／制御装置を提供することを目的とする。
【０００８】
【課題を解決するための手段】
そこで、上記課題を解決するため、請求項１記載のセッション管理方法は、送信先情報及び制御情報を含む信号を受信する段階と、前記受信した信号が物理的に直接接続された監視／制御装置から供給された制御信号である場合、前記制御信号を受信したポート情報及び自装置情報を前記受信した制御信号に付加する段階と、前記制御信号の送信先情報が自装置宛であれば前記制御情報に従って処理を行ない、他装置宛であれば前記ポート情報及び自装置情報を付加した前記制御信号を他装置に送信する段階とを含むことを特徴とする。
【０００９】
このように、監視／制御装置から供給された制御信号に、受信したポート情報及び自装置情報を付加することにより、監視／制御装置に識別信号を設けるなく一の監視／制御装置を選択することが可能となる。具体的には、自装置情報を利用して目的の監視／制御装置が接続されている伝送装置を選択し、ポート情報を利用して目的の監視／制御装置を選択することが可能となる。
【００１０】
また、請求項２記載のセッション管理方法は、前記受信した信号が応答信号である場合、前記応答信号の送信先情報が自装置宛であるか判定する段階と、前記送信先情報が自装置宛であれば前記応答信号の送信先情報及びポート情報を削除し、前記削除したポート情報に従って前記送信先情報及びポート情報を削除した応答信号を送信する段階とを含むことを特徴とする。
【００１１】
このように、受信した応答信号が自装置宛である場合、前記応答信号の送信先情報及びポート情報を削除し、前記削除したポート情報に従って応答信号を監視／制御装置に供給することにより、監視／制御装置に識別信号を設けることなく一の監視／制御装置を選択することが可能となる。
また、請求項３記載のセッション管理方法は、前記制御信号は、前記監視／制御装置と前記制御信号の送信先情報が示す他の装置とを論理的に接続するセッション確立のための信号であることを特徴とする。
【００１２】
このように、監視／制御装置から供給された制御信号に、受信したポート情報及び自装置情報を付加することにより、監視／制御装置に識別信号を設けるなく監視／制御装置と自装置とを論理的に接続するセッションの確立ができる。
また、請求項４記載のセッション管理方法は、前記セッション確立後、前回の制御信号を受信してからの経過時間を計時する段階と、前記経過時間が設定時間を越えると前記セッションを解放する段階とを含むことを特徴とする。
【００１３】
このように、セッション確立後、前回の制御信号を受信してからの経過時間を計時することにより、前回の制御信号を受信してから所定時間を経過すると自動的にセッションを解放することが可能である。
また、請求項５記載のセッション管理方法は、前記制御信号の種類毎に設定されたランク及び前記監視／制御装置毎に設定されたランクを比較する段階と、前記制御信号のランクと監視／制御装置のランクとを比較した結果に従って前記制御信号の処理に制限を設けることを特徴とする。
【００１４】
このように、制御信号及び監視／制御装置にランクを設定することにより、各監視／制御装置又はオペレータが使用できる制御コマンドに制限を設けることが可能である。具体的には、管理者用，保守者用，又は一般用のように制御コマンドをランク分けすることができる。
また、請求項６記載の伝送装置は、送信先情報及び制御情報を含む信号を受信する信号受信手段と、前記受信した信号が物理的に直接接続された監視／制御装置から供給された制御信号である場合、前記制御信号を受信したポート情報及び自装置情報を前記受信した制御信号に付加する情報付加手段と、前記制御信号の送信先情報が自装置宛であれば前記制御情報に従って処理を行ない、他装置宛であれば前記ポート情報及び自装置情報を付加した前記制御信号を他装置に送信する制御信号送信手段とを含むことを特徴とする。
【００１５】
このように、監視／制御装置から供給された制御信号に、受信したポート情報及び自装置情報を付加することにより、監視／制御装置に識別信号を設けるなく一の監視／制御装置を選択することが可能となる。
また、請求項７記載の伝送装置は、前記受信した信号が応答信号である場合、前記応答信号の送信先情報が自装置宛であるか判定する判定手段と、前記送信先情報が自装置宛であれば前記応答信号の送信先情報及びポート情報を削除し、前記削除したポート情報に従って前記応答信号を送信する応答信号送信手段とを含むことを特徴とする。
【００１６】
このように、受信した応答信号が自装置宛である場合、前記応答信号の送信先情報及びポート情報を削除し、前記削除したポート情報に従って応答信号を監視／制御装置に供給することにより、監視／制御装置に識別信号を設けることなく一の監視／制御装置を選択することが可能となる。
また、請求項８記載の伝送装置は、前記制御信号は、前記監視／制御装置と前記制御信号の送信先情報が示す他の装置とを論理的に接続するセッション確立のための制御信号であることを特徴とする。
【００１７】
このように、監視／制御装置から供給された制御信号に、受信したポート情報及び自装置情報を付加することにより、監視／制御装置に識別信号を設けるなく監視／制御装置と自装置とを論理的に接続するセッションの確立ができる。
また、請求項９記載の伝送装置は、前記セッション確立後、前回の制御信号を受信してからの経過時間を計時する計時手段と、前記経過時間が設定時間を越えると前記セッションを解放する解放手段とを含むことを特徴とする。
【００１８】
このように、セッション確立後、前回の制御信号を受信してからの経過時間を計時することにより、前回の制御信号を受信してから所定時間を経過すると自動的にセッションを解放することが可能である。
また、請求項１０記載の伝送装置は、前記制御信号の種類に従ってランクを設定している第１のランク設定テーブルと、前記監視／制御装置毎にランクを設定する第２のランク設定テーブルとを有し、前記制御信号のランクと監視／制御装置のランクとを比較した結果に従って前記制御信号の処理に制限を設けることを特徴とする。
【００１９】
このように、制御信号及び監視／制御装置にランクを設定することにより、各監視／制御装置又はオペレータが使用できる制御コマンドに制限を設けることが可能である。具体的には、管理者用，保守者用，又は一般用のように制御コマンドをランク分けすることができる。
また、請求項１１記載の伝送装置は、前記設定時間，第１のランク設定テーブル，及び第２のランク設定テーブルは、制御信号を利用して変更できることを特徴とする。
【００２０】
このように、前記設定時間，第１のランク設定テーブル，及び第２のランク設定テーブルを制御信号を利用して変更できることにより、運用条件を容易に変更することが可能である。
また、請求項１２記載の伝送装置は、前記セッション確立後、論理的に接続された前記監視／制御装置から自装置情報の変更命令が供給されると、ネットワーク内の他装置に前記自装置情報の変更を通知する通知手段と、前記自装置情報を変更命令に従って再設定する再設定手段と、前記再設定後、自装置情報の変更命令を供給した前記監視／制御装置に自装置情報の再設定終了を通知する応答手段とを有することを特徴とする。
【００２１】
このように、セッション確立後に監視／制御装置から自装置情報の変更命令が供給されたとしてもセッション確立状態を継続することが可能となる。
また、請求項１３記載の監視／制御装置は、送信先の伝送装置の送信先情報及び制御情報を含む信号を生成する信号作成手段と、前記作成した信号を送信先の伝送装置に送信する送信手段と、前記送信した信号に基づく応答信号を受信してセッション確立先の伝送装置情報を格納する格納手段とを有し、物理的に直接接続されている伝送装置及びポートの情報に基づいて識別されることを特徴とする。
【００２２】
このように、物理的に直接接続されている電送装置及びポートの情報に基づいて他の監視／制御装置と識別されることにより、監視／制御装置に識別信号を設けることなく一の監視／制御装置を選択することが可能となる。
【００２３】
【発明の実施の形態】
以下に、本発明の実施例を図面に基づいて説明する。
図４は、本発明の伝送装置１００の一実施例の構成図を示す。図４の伝送装置１００は、主信号部１０，２０，３０と、管理制御部４０とを含む構成である。主信号部１０は、ネットワークから供給される光信号の波長を変換して主信号部２０のレベル調整部２１−１〜２１−ｎに出力する。
【００２４】
レベル調整部２１−１〜２１−ｎは、供給される光信号のレベルを調整して多重部２２に出力する。多重部２２は、供給される光信号を多重化してポストアンプ２３に出力する。そして、ポストアンプ２３は、供給される多重化光信号を増幅してネットワークに出力する。
一方、プリアンプ２４は、ネットワークから供給される光信号を増幅して分離部２６に出力する。分離部２６は、供給される光信号を分離化して主信号部３０の波長調整部３１−１〜３１−ｎに供給する。そして、波長調整部３１−１〜３１−ｎは、供給される光信号の波長を調整してネットワークに出力している。なお、光ＩＦ部２５は管理制御部４０から供給される信号に従ってポストアンプ２３及びプリアンプ２４の処理を制御する。
【００２５】
管理制御部４０は、メイン制御部４１と、装置通信部４２と、主信号制御部４３とを含む。主信号制御部４３は、主信号部２０の制御に関する処理を行なう。装置通信部４２は、他の伝送装置を制御するための処理を行なう。
メイン制御部４１は、物理ポート５８及び伝送路ＩＦ５９を介して後述する外部の監視／制御装置及び他の伝送装置に接続されている。つまり、メイン制御部４１は、物理ポート５８及び伝送路ＩＦ５９を介して監視／制御に利用する制御フレーム，応答フレームを送受信している。
【００２６】
次に、図４のメイン制御部４１，物理ポート５８，及び伝送路ＩＦ５９について詳細に説明する。図５は、本発明の伝送装置１００に含まれるメイン制御部４１の一実施例の構成図を示す。なお、図５は説明に必要な構成部分を中心に記載したものであり、その他の構成部分については記載を省略している。
図５のメイン制御部４１は、通信制御部５１と、セッション管理部５２と、ＯＰＳ処理部５３−１〜５３−ｎと、セッション管理テーブル５４と、初期値定義テーブル５５と、制御コマンドテーブル５６とを含む構成である。
【００２７】
通信制御部５１は、監視／制御装置又は他の伝送装置から供給される制御フレームの受信処理及び監視／制御装置又は他の伝送装置に送信する応答フレームの送信処理等のフレーム伝送を制御する。セッション管理部５２は、監視／制御装置による監視／制御を可能にするためのセッションの確立等の状態（以下、セッション状態という）を管理すると共に、制御フレーム及び応答フレームの伝送を管理する。
【００２８】
ＯＰＳ処理部５３−１〜５３−ｎは制御要求処理を実行し、その処理結果に基づいた応答フレームを送信する。なお、セッション管理部５２はセッション管理テーブル５４，初期値定義テーブル５５，制御コマンドテーブル５６を管理している。
ここで、セッション管理テーブル５４，初期値定義テーブル５５，制御コマンドテーブル５６のフォーマットの一例を図６〜図８を参照して説明する。図６は、セッション管理テーブル５４の一例のフォーマットを示す。図７は初期値定義テーブル５５の一例のフォーマットを示す。また、図８は制御コマンドテーブル５６の一例のフォーマットを示す。
【００２９】
図６のセッション管理テーブル５４は、監視／制御装置とのセッション状態を管理するものであり、ＯＰＳ処理部５３−１〜５３−ｎ毎に運用状態６０，送信元装置ＩＤ６１，物理ポートＩＤ６２，制御コード６３，制御レベル６４，無制御時間６５を設定する。
運用状態６０は、セッションの確立／解放を設定するものである。送信元装置ＩＤ６１は、制御フレームの送信元装置ＩＤを設定するものである。物理ポートＩＤ６２は、制御フレームの送信元装置と物理的に接続される物理ポート５８−１〜５８−３を設定するものである。制御コード６３は、制御フレーム内の制御コマンドを処理実行中、その制御コマンドの制御コードを格納しておくものである。
【００３０】
また、制御レベル６４はＯＰＳ処理部５３−１〜５３−ｎの制御制限レベルを設定するものである。無制御時間６５は、監視／制御装置の制御が連続してない時間を設定するものである。
図７の初期値定義テーブル５５は、セッション管理テーブル５４と同一のフォーマットであって、セッション管理テーブルの初期値を登録している。例えば、伝送装置１００の起動時に初期値定義テーブル５５の値をセッション管理テーブル５４に設定する。図８の制御コマンドテーブル５６は、制御コマンド毎に制御コード６７及び制御レベル６８を設定するものである。
【００３１】
また、本発明の伝送装置１００は、図９に示すように、伝送装置１００及びその構成部分である物理ポート５８−１〜５８−３，ＯＰＳ処理部５３−１〜５３−ｎにＩＤが設定されている。図９は、伝送装置１００及びその構成部分のＩＤを設定する一例の図を示す。
次に、本発明の監視／制御装置１１０の構成について図１０を参照して説明する。図１０は、本発明の監視／制御装置１１０の一実施例の構成図を示す。図１０の監視／制御装置１１０は、ＧＵＩ（Ｇｒａｐｈｉｃａｌ  Ｕｓｅｒ  Ｉｎｔｅｒｆａｃｅ）１１２と、送受信管理部１１３と、装置情報テーブル１１４と、通信部１１５とを含む構成である。
【００３２】
ＧＵＩ１１２は、オペレータが管理／制御を行なうための各種操作を行なうグラフィカルユーザインターフェース装置である。送受信管理部１１３は、接続情報の管理，フレームの送受信処理を行なう。装置情報テーブル１１４は、監視／制御を行なう為の情報を管理している。また、通信部１１５は、伝送装置１００との通信を行なう。
【００３３】
以下、本発明の伝送装置１００及び監視／制御装置１１０の処理について説明する。図１１は、伝送装置１００と監視／制御装置１１０とのセッション確立の処理の一実施例のフローチャートを示す。
同図中、ステップＳ１０では、オペレータは監視／制御を行なう伝送装置１００を決定し、ＧＵＩ１１２を利用して監視／制御を行なう伝送装置１００を選択する。監視／制御を行なう伝送装置１００が選択されると、送受信管理部１１３は、伝送装置１００に送信する図１２に示す制御フレームを生成する。
【００３４】
図１２は、監視／制御装置１１０が送信する制御フレームの一例のフォーマットを示す。図１２の制御フレームは、送信先装置ＩＤ７４，送信先ポートＩＤ７５，データ７６を含む構成である。なお、従来必要であった送信元装置ＩＤは制御フレームに含まれていない。
例えば、伝送装置１００と監視／制御装置１１０とのセッション確立を行なう場合、制御フレームは送信先装置ＩＤ７４に監視／制御を行なう伝送装置１００のＩＤが設定され、送信先ポートＩＤ７５にセッション確立を行なうＯＰＳ処理部５３−１〜５３−ｎのＩＤが設定され、データ７６にセッション確立を示す制御コード及び制御パラメータが設定される。なお、必要な情報は装置情報テーブル１１４が管理している。
【００３５】
また、制御フレームのデータ７６は、伝送装置１００を制御するための制御コマンドを表わす制御コード及び制御パラメータを含んでいる。ここで、図２４に制御コマンド及びコマンド内容の一例を示しておく。図２４は、伝送装置１００を制御する制御コマンドの一例の図を示す。
ステップＳ１０に続いてステップＳ１２に進み、送受信管理部１１３はステップＳ１０にて生成したセッション確立の為の制御フレームを通信部１１５を介して伝送装置１００に送信する。
【００３６】
ステップＳ１２に続いてステップＳ１４に進み、監視／制御装置１１０は、後述する伝送装置１００からの応答フレームを受信するまで待機する。そして、伝送装置１００からの応答フレームを受信すると、ステップＳ１６に進み、送受信管理部１１３は装置情報テーブル１１４に接続先装置ＩＤを設定する。以上のように、伝送装置１００と監視／制御装置１１０とのセッション確立を行なう。
【００３７】
次に、本発明の伝送装置１００のセッション確立の処理について各構成部分毎に説明する。図１３は、通信制御部５１のセッション確立の処理の一実施例のフローチャートを示す。
同図中、ステップＳ２０では、通信制御部５１は物理ポート５８−１〜５８−３，伝送路ＩＦ５９から制御フレーム又は応答フレームが受信されるまで待機する。制御フレーム又は応答フレームが受信されるとステップＳ２２に進み、通信制御部５１は受信したフレームが制御フレームであるか否かを判定する。
【００３８】
受信したフレームが制御フレームであると判定すると（Ｓ２２においてＹＥＳ）、ステップＳ２４に進む。また、受信したフレームが制御フレームでないと判定すると（Ｓ２２においてＮＯ）、ステップＳ２８に進む。ステップＳ２４では、通信制御部５１は、供給された制御フレームが監視／制御装置１１０から供給されたものである場合、制御フレームが供給された物理ポート（例えば、物理ポート５８−１）のＩＤを送信元ポートＩＤとして制御フレームに付加する。更に、通信制御部５１は自装置のＩＤを送信元装置ＩＤとして制御フレームに付加する。
【００３９】
このように、送信元装置ＩＤ及び送信元ポートＩＤを付加された制御フレームを図１４に示しておく。図１４は、送信元装置ＩＤ７８及び送信元ポートＩＤ７９を付加された制御フレームの一例のフォーマットを示す。
ステップＳ２４に続いてステップＳ２６に進み、通信制御部５１は制御フレーム内の送信先装置ＩＤ７４を自装置ＩＤと比較して、その制御フレームが自装置宛の制御フレームであるか否かを判定する。送信先装置ＩＤ７４と自装置のＩＤとが同一であり、自装置宛の制御フレームであると判定すると（Ｓ２６においてＹＥＳ）、ステップＳ３０に進み、通信制御部５１はその制御フレームをセッション管理部５２に送信する。
【００４０】
また、送信先装置ＩＤ７４と自装置ＩＤとが同一でなく、自装置宛の制御フレームでないと判定すると（Ｓ２６においてＮＯ）、ステップＳ３２に進み、通信制御部５１はその制御フレームを伝送路ＩＦ５９を介して他の伝送装置１００に送信する。
ステップＳ２２において、受信したフレームが制御フレームでないと判定すると（Ｓ２２においてＮＯ）、ステップＳ２８に進み、通信制御部５１は受信した応答フレーム内の送信先装置ＩＤを自装置ＩＤと比較して、その応答フレームが自装置宛の応答フレームであるか否かを判定する。なお、応答フレームの構成については後述する。
【００４１】
送信先装置ＩＤと自装置ＩＤとが同一であり、自装置宛の応答フレームであると判定すると（Ｓ２８においてＹＥＳ）、ステップＳ３４に進み、通信制御部５１はその応答フレームを送信先ポートＩＤにより指定される物理ポート５８−１〜５８−３の何れかを介して監視／制御装置１１０に送信する。
また、送信先ポートＩＤと自装置のＩＤとが同一でなく、自装置宛の応答フレームでないと判定すると（Ｓ２８においてＮＯ）、ステップＳ３２に進み、通信制御部５１はその応答フレームを伝送路ＩＦ５９を介して他の伝送装置１００に送信する。
【００４２】
図１５は、セッション管理部５２のセッション確立の処理の一実施例のフローチャートを示す。同図中、ステップＳ４０では、セッション管理部５２は通信制御部５１から制御フレームが受信されるまで待機する。そして、セッション管理部５２は制御フレームを受信するとステップＳ４４に進む。
ステップＳ４４では、セッション管理部４４は受信した制御フレームの制御コードを参照してセッション確立の処理であるか否かを判定する。セッション確立の処理であると判定すると（Ｓ４４においてＹＥＳ）、ステップＳ４６に進む。また、セッション確立の処理でないと判定すると（Ｓ４４においてＮＯ）、ステップＳ５２に進む。
【００４３】
ステップＳ４６では、セッション管理部５２は制御フレームの送信先ポートＩＤ７５により指定されたＯＰＳ処理部５３−１〜５３−ｎが他のセッションで使用されていない未接続セッションであるか否かを判定する。この判定は、セッション管理テーブル５４の運用状態６０を参照することにより行なうことが可能である。
【００４４】
未接続セッションであると判定すると（Ｓ４６においてＹＥＳ）、ステップＳ４８に進み、セッション管理部５２は制御コマンドテーブル５６から制御フレーム内の制御コードの制御レベルを読み出す。また、セッション管理部５２は、セッション管理テーブル５４から制御フレームの送信先ポートＩＤ７５により指定されたＯＰＳ処理部５３−１〜５３−ｎの制御レベル６４を読み出す。
【００４５】
そして、セッション管理部５２は、制御コマンドテーブル５６から読み出した制御レベル６８がセッション管理テーブル５４から読み出した制御レベル６４以上であるか否かを判定する。制御レベル６８が制御レベル６４以上であると判定すると（Ｓ４８においてＹＥＳ）、ステップＳ５８に進む。また、制御レベル６８が制御レベル６４以上でないと判定すると（Ｓ４８においてＮＯ）、ステップＳ５０に進む。
【００４６】
ステップＳ５０では、セッション管理部５２はセッション管理テーブル５４の運用状態６０を運用中に設定し、制御フレーム内の送信元装置ＩＤ７８及び送信元ポートＩＤ７９をセッション管理テ−ブル５４の送信元装置ＩＤ６１及び物理ポートＩＤ６２に設定してセッションを確立する。
そして、セッション管理部５２は、図１６に示すように送信元装置ＩＤ８０に自装置ＩＤ，送信元ポートＩＤ８１にＯＰＳ処理ＩＤ，送信先装置ＩＤ８２及び送信先ポートＩＤ８３にセッション管理テーブル５４に設定した制御フレーム内の送信元装置ＩＤ７８及び送信元ポートＩＤ７９を夫々設定した応答フレームを生成する。図１６は、セッション管理部５２又はＯＰＳ処理部５３−１〜５３−ｎが送信する応答フレームの一例のフォーマットを示す。
【００４７】
また、セッション管理部５２は、応答フレームのデータ８４にセッション確立を示す正常コード又はセッション不確立を示す異常コードを設定する。そして、ステップＳ５０に続いてステップＳ５８に進み、セッション管理部５２は生成した応答フレームを通信制御部５１に送信する。
なお、セッション確立の処理でないと判定すると（Ｓ４４においてＮＯ）、ステップＳ５２に進み、ステップＳ４８と同様に制御コマンドテーブル５６から読み出した制御レベル６８がセッション管理テーブル５４から読み出した制御レベル６４以上であるか否かを判定する。
【００４８】
制御レベル６８が制御レベル６４以上であると判定すると（Ｓ５２においてＹＥＳ）、ステップＳ５８に進む。また、制御レベル６８が制御レベル６４以上でないと判定すると（Ｓ５２においてＮＯ）、ステップＳ５４に進む。そして、セッション管理部５２は制御フレームの送信先ポートＩＤ７５により指定されたＯＰＳ処理部５３−１〜５３−ｎが処理実行中であるか否かを判定する。この判定は、セッション管理テーブル５４の運用状態６０を参照することにより行なうことが可能である。
【００４９】
処理実行中であると判定すると（Ｓ５４においてＹＥＳ）、ステップＳ５８に進む。また、処理実行中でないと判定すると（Ｓ５４においてＮＯ）、ステップＳ５６に進む。そして、ステップＳ５６では指定したＯＰＳ処理部５３−１〜５３−ｎを起動してステップＳ４０に進む。
図１７は、ＯＰＳ処理部の処理の一実施例のフローチャートを示す。同図中、ステップＳ６０では、ＯＰＳ処理部５３−１〜５３−ｎはセッション管理部５２から制御フレームが受信されるまで待機する。そして、ＯＰＳ処理部５３−１〜５３−ｎは制御フレームを受信するとステップＳ６４に進む。
【００５０】
ステップＳ６４では、ＯＰＳ処理部５３−１〜５３−ｎは制御フレーム内の制御コードに基づいた制御処理を行い、その制御処理結果をデータ８４に設定した図１６の応答フレームを生成する。そして、ステップＳ６４に続いてステップＳ６６に進み、ＯＰＳ処理部５３−１〜５３−ｎは生成した応答フレームを通信制御部５１に送信する。
【００５１】
ここで、通信制御部５１，セッション管理部５２，及びＯＰＳ処理部５３−１〜５３−ｎにより処理される制御フレーム，応答フレーム，及びセッション管理テーブル５４の関連を図１８に示しておく。
図１８は、制御フレーム，応答フレーム，及びセッション管理テーブル５４の関連を説明する一例の図を示す。同図中、制御フレーム９０の送信元装置ＩＤと、セッション管理テーブル９１の送信元装置ＩＤと、応答フレーム９２の送信先装置ＩＤとは、監視／制御装置から制御フレームを受信した監視／制御装置のＩＤを表わしている。また、同図中、制御フレーム９０の送信元ポートＩＤと、セッション管理テーブル９１の物理ポートＩＤと、応答フレーム９２の送信先ポートＩＤとは制御フレームを送信した監視／制御装置が接続されている物理ポートＩＤを表わしている。
【００５２】
このように、最初に監視／制御装置から制御フレームを受信した監視／制御装置のＩＤと制御フレームを送信した監視／制御装置が接続されている物理ポートＩＤとを情報として利用することにより、監視／制御装置にＩＤを付することなくセッション確立が可能である。
次に、セッション確立時に指定したＯＰＳ処理部が他のセッションに使用されている場合の処理について説明する。図１９は、重複セッション指定時のセッション確立の処理の一実施例のフローチャートを示す。なお、図１９のフローチャートは一部が図１５のフローチャートと同様であり、同一部分に同一符号を付して説明を省略する。
【００５３】
ステップＳ４０〜Ｓ４２に続いてステップＳ４６に進み、セッション管理部５２は制御フレームの送信先ポートＩＤ７５により指定されたＯＰＳ処理部５３−１〜５３−ｎが他のセッションで使用されていない未接続セッションであるか否かを判定する。
未接続セッションであると判定すると（Ｓ４６においてＹＥＳ）、ステップＳ７２に進む。また、未接続セッションでないと判定すると（Ｓ４６においてＮＯ）、ステップＳ７０に進む。ステップＳ７０では、セッション管理部５２は、未接続セッションであって、制御レベル６４が同一なＯＰＳ処理部５３−１〜５３−ｎを検索し、接続可能なセッションを決定してステップＳ７２に進む。
【００５４】
そして、セッション管理部５２はセッション接続処理を行なうと共に、図２０（Ａ）に示す応答フレームを生成してステップＳ５８に進む。なお、図２０（Ａ）の送信元装置ＩＤ８０は伝送装置１００の自装置ＩＤが設定され、送信元ポートＩＤ８１はＳ７０により決定されたＯＰＳ処理部５３−１〜５３−ｎのＩＤが設定されている。
【００５５】
ステップＳ７２に続いてステップＳ５８に進み、ステップＳ７２にて作成された応答フレームを通信制御部５１に送信する。通信制御部５１は、図２０（Ａ）の送信先装置ＩＤ８２を確認して自装置宛の応答フレームであれば、応答フレームから送信先装置ＩＤ８２及び送信先ポートＩＤ８３を削除して図２０（Ｂ）の応答フレームを生成する。そして、図２０（Ｂ）の応答フレームが監視／制御装置１１０に送信される。
【００５６】
次に、確立したセッションの自動解放処理について説明する。図２１は、確立したセッションの自動解放処理を説明する一例の図を示す。セッションが確立すると、セッション管理部５２は１分間タイマ（図示せず）を起動させる。また、セッション管理テーブル５４の無制御時間６５は初期値定義テーブル５５の無制御時間６４の値、例えば３０分が設定される。
【００５７】
セッション確立後、セッション管理テーブル５４の無制御時間６５は次に制御フレームが受信されるまで１分間毎に１分ずつ減算され、制御フレームが受信されると初期値定義テーブル５５の無制御時間６４の値に再設定される。
例えば、時間ｔ１０ではセッション確立後、制御フレームが受信された為に無制御時間６５の値が初期値定義テーブル５５の無制御時間６４の値に再設定されている。また、時間ｔ１２後に制御フレームが３０分間受信されていない為、時間ｔ１５にてセッション管理テーブル５４の無制御時間６５の値が０分となっている。
【００５８】
このように、セッション管理テーブル５４の無制御時間６５及び初期値定義テーブル５５の無制御時間６５を設定することにより、制御フレームが所定時間受信されなければ自動的にセッションの解放処理を行なうようにする。なお、セッション管理部５２は、セッションの解放処理に基づくレポートを監視／制御装置１１０に通知している。
【００５９】
次に、伝送装置の装置ＩＤを制御コマンドによって変更する場合の処理について説明する。図２２は、装置ＩＤを制御コマンドによって変更する処理の一実施例のフローチャートを示す。
図２２（Ａ）は装置ＩＤを変更する装置の処理であり、図２２（Ｂ）は装置ＩＤの変更レポートを受信した装置の処理である。図２２（Ａ）において、ステップＳ８０では、監視／制御装置１１０からの制御コマンドにより装置ＩＤを変更する伝送装置１００は、ネットワーク内の他の全伝送装置に装置ＩＤ変更のレポートを送信する。
【００６０】
ステップＳ８０に続いてステップＳ８１に進み、装置ＩＤを変更する伝送装置１００はセッションを確立している監視／制御装置１１０に対して装置ＩＤ変更のレポートを送信する。そして、装置ＩＤを変更する伝送装置１００はセッション管理テーブル５４の装置ＩＤを再設定する。ステップＳ８２に続いてステップＳ８３に進み、装置ＩＤを変更する伝送装置１００は応答レスポンスを制御コマンドを送信した監視／制御装置１１０に送信する。
【００６１】
また、図２２（Ｂ）において、ステップＳ８５では、他の伝送装置１００は装置ＩＤ変更のレポートを受信する。そして、ステップＳ８５に続いてステップＳ８６に進み、他の伝送装置１００はセッション管理テーブル５４の変更する装置ＩＤを再設定する。
次に、ＯＰＳ処理部に特定のＩＤを設けずにセッションを確立する場合の処理について説明する。図２３は、ＯＰＳ処理部にＩＤを設定せずにセッションを確立する処理について説明する一例の図を示す。例えば、セッション確立時において、監視／制御装置１１０から送信される制御フレームから送信元装置ＩＤと、送信元ポートＩＤと、監視／制御装置１１０が送信先ポートＩＤに設定した任意のＩＤから構成したＯＰＳ処理部ＩＤを生成する。
【００６２】
このように、ＯＰＳ処理部ＩＤを任意の値から生成することができ、特定のＩＤを設けずにセッションを確立することが可能となる。
なお、特許請求の範囲に記載した信号受信手段はステップＳ２０，Ｓ２２での処理に対応し、情報付加手段はステップＳ２４での処理に対応し、制御信号送信手段はステップＳ２６，Ｓ３０，Ｓ３２での処理に対応し、判定手段はステップＳ２８での処理に対応し、応答信号送信手段はステップＳ３４での処理に対応し、計時手段は無制限時間６５に対応し、解放手段は図２１での処理に対応し、第１のランク設定テーブルは制御レベル６８に対応し、第２のランク設定テーブルは制御レベル６４に対応し、通知手段はステップＳ８０，Ｓ８１での処理に対応し、再設定手段はステップＳ８２での処理に対応し、応答手段はステップＳ８３での処理に対応し、信号作成手段はステップＳ１０での処理に対応し、送信手段はステップＳ１２での処理に対応し、格納手段はステップＳ１６での処理に対応する。
【００６３】
【発明の効果】
上述の如く、本発明によれば、監視／制御装置から供給された制御信号に、受信したポート情報及び自装置情報を付加することにより、監視／制御装置に識別信号を設けるなく一の監視／制御装置を選択することが可能となる。
また、セッション確立後、前回の制御信号を受信してからの経過時間を計時することにより、前回の制御信号を受信してから所定時間を経過すると自動的にセッションを解放することが可能である。
【００６４】
また、制御信号及び監視／制御装置にランクを設定することにより、各監視／制御装置又はオペレータが使用できる制御コマンドに制限を設けることが可能である。
更に、物理的に直接接続されている伝送装置及びポートの情報に基づいて他の監視／制御装置と識別されることにより、監視／制御装置に識別信号を設けることなく一の監視／制御装置を選択することができ、監視／制御装置と伝送装置とのセッションを確立することが可能である。
【図面の簡単な説明】
【図１】ネットワークの一例の構成図である。
【図２】制御フレームの一例のフォーマットである。
【図３】応答フレームの一例のフォーマットである。
【図４】本発明の伝送装置の一実施例の構成図である。
【図５】本発明の伝送装置に含まれるメイン制御部の一実施例の構成図である。
【図６】セッション管理テーブルの一例のフォーマットである。
【図７】初期値定義テーブルの一例のフォーマットである。
【図８】制御コマンドテーブルの一例のフォーマットである。
【図９】伝送装置及びその構成部分のＩＤを設定する一例の図である。
【図１０】本発明の監視／制御装置の一実施例の構成図である。
【図１１】伝送装置と監視／制御装置とのセッション確立の処理の一実施例のフローチャートである。
【図１２】監視／制御装置が送信する制御フレームの一例のフォーマットである。
【図１３】通信制御部のセッション確立の処理の一実施例のフローチャートである。
【図１４】送信元装置ＩＤ及び送信元ポートを付加された制御フレームの一例のフォーマットである。
【図１５】セッション管理部のセッション確立の処理の一実施例のフローチャートである。
【図１６】セッション管理部又はＯＰＳ処理部が送信する応答フレームの一例のフォーマットである。
【図１７】ＯＰＳ処理部の処理の一実施例のフローチャートである。
【図１８】制御フレーム，応答フレーム，及びセッション管理テーブルの関連を説明する一例の図である。
【図１９】重複セッション指定時のセッション確立の処理の一実施例のフローチャートである。
【図２０】重複セッション指定時の応答フレームを説明する一例の図である。
【図２１】確立したセッションの自動解放処理を説明する一例の図である。
【図２２】装置ＩＤを制御コマンドによって変更する処理の一実施例のフローチャートである。
【図２３】  ＯＰＳ処理部にＩＤを設定せずにセッションを確立する処理について説明する図である。
【図２４】伝送装置を制御する制御コマンドの一例の図である。
【符号の説明】
４０    管理制御部
４１    メイン制御部
５１    通信制御部
５２    セッション管理部
５３    ＯＰＳ処理部
５４    セッション管理テーブル
５５    初期値定義テーブル
５６    制御コマンドテーブル
５８    物理ポート
５９    伝送路ＩＦ
１００    伝送装置
１１０    監視／制御装置
１１２    ＧＵＩ
１１３    送受信管理部
１１４    装置情報テーブル
１１５    通信部
【図１】
0004054149.tif 000002
【図２】
0004054149.tif 000003
【図３】
0004054149.tif 000004
【図４】
0004054149.tif 000005
【図５】
0004054149.tif 000006
【図６】
0004054149.tif 000007
【図７】
0004054149.tif 000008
【図８】
0004054149.tif 000009
【図９】
0004054149.tif 000010
【図１０】
0004054149.tif 000011
【図１１】
0004054149.tif 000012
【図１２】
0004054149.tif 000013
【図１３】
0004054149.tif 000014
【図１４】
0004054149.tif 000015
【図１５】
0004054149.tif 000016
【図１６】
0004054149.tif 000017
【図１７】
0004054149.tif 000018
【図１８】
0004054149.tif 000019
【図１９】
0004054149.tif 000020
【図２０】
0004054149.tif 000021
【図２１】
0004054149.tif 000022
【図２２】
0004054149.tif 000023
【図２３】
0004054149.tif 000024
【図２４】
0004054149.tif 000025